(57)【要約】【課題】紐状体を強固に挟持でき、しかも簡単に挟持しながら環状に結束することができる紐係止具を提供すること。【解決手段】紐状体４の両端部４ａ，４ｂが、第１の係止部７ａ，９に係止され雌具３の内面３ａと第１の対向面６ａ，７ｂとの間に挿通されるとともに、紐状体４の中途部４ｃが、第２の係止部９に係止され雌具３の内面３ｂと第２の対向面６ｂとの間に挿通されるように、雌具３に雄具２を嵌挿することで、第１係止部及び第２係止部による係止状態が維持される。【選択図】図１
2009018004.tif 000002
【特許請求の範囲】
【請求項１】
帯状の紐状体を挿通して係止することで、該紐状体に２つのループ部を形成する紐係止具であって、
前記紐状体の両端部を係止する第１の係止部及び中途部を係止する第２の係止部を有する雄具と、
前記紐状体を挿通可能な略筒状に形成され前記雄具が嵌挿される雌具と、
から構成され、
前記雄具は、前記雌具の内面と対向する第１の対向面と、前記第１の対向面の反対側において前記雌具の内面と対向する第２の対向面と、を有し、
前記紐状体の両端部が、前記第１の係止部に係止され前記雌具の内面と前記第１の対向面との間に挿通されるとともに、前記紐状体の中途部が、前記第２の係止部に係止され前記雌具の内面と前記第２の対向面との間に挿通されるように、前記雌具に前記雄具を嵌挿することで、前記第１係止部及び前記第２係止部による係止状態が維持されることを特徴とする紐係止具。
【請求項２】
前記第１の係止部は、前記紐状体の両端部をそれぞれ別個に係止する一対の係止部からなることを特徴とする請求項１に記載の紐係止具。
【請求項３】
前記第１の係止部及び前記第２の係止部は、前記第１の対向面または前記第２の対向面から前記雌具の内面に向けて突設された係止突起であることを特徴とする請求項１または２に記載の紐係止具。
【請求項４】
前記雄具及び前記雌具は扁平形状に形成されていることを特徴とする請求項１ないし３のいずれかに記載の紐係止具。
【発明の詳細な説明】
【技術分野】
【０００１】
本発明は、帯状の紐状体を押圧挟持する紐係止具に関する。
【背景技術】
【０００２】
従来の紐結束具（紐係止具）は、係合孔と係合爪を備えた結束片の合着面から突設した挟み込み突部にゴム紐（ストラップ）の端部を挟み込むとともに、合着面の両端部に形成された、挿入凹部と連通する嵌め込み溝内にゴム紐の端部を嵌め込み、更に嵌め込み溝内に形成された刺し入れピンをゴム紐に刺入して保持した後、ゴム紐の他端部を保持した同一構成の結束片の合着面同士を向かい合わせて、それぞれの係合孔と係合爪を係合させることで２つのゴム紐端部を重ね合わせて押圧挟持して環状に結束しているものがある（例えば、特許文献１参照）。
【０００３】
【特許文献１】特開平１０−３０５８６５号公報（第３頁、第７図）
【発明の開示】
【発明が解決しようとする課題】
【０００４】
しかしながら、特許文献１に記載の紐結束具（紐係止具）にあっては、２つのゴム紐端部を重ね合わせて押圧しているために、それぞれの係合爪を係合孔に係合させるには結束片同士を押圧せねばならず、結束片同士が合着された後も２つのゴム紐端部を合わせた部分で滑りが発生するため、ゴム紐を引っ張ることでゴム紐が結束片間から抜けて結束が解除され易いという問題があった。
【０００５】
本発明は、このような問題点に着目してなされたもので、紐状体を強固に挟持でき、しかも簡単に挟持しながら環状に結束することができる紐係止具を提供することを目的とする。
【課題を解決するための手段】
【０００６】
前記課題を解決するために、本発明の請求項１に記載の紐係止具は、
帯状の紐状体を挿通して係止することで、該紐状体に２つのループ部を形成する紐係止具であって、
前記紐状体の両端部を係止する第１の係止部及び中途部を係止する第２の係止部を有する雄具と、
前記紐状体を挿通可能な略筒状に形成され前記雄具が嵌挿される雌具と、
から構成され、
前記雄具は、前記雌具の内面と対向する第１の対向面と、前記第１の対向面の反対側において前記雌具の内面と対向する第２の対向面と、を有し、
前記紐状体の両端部が、前記第１の係止部に係止され前記雌具の内面と前記第１の対向面との間に挿通されるとともに、前記紐状体の中途部が、前記第２の係止部に係止され前記雌具の内面と前記第２の対向面との間に挿通されるように、前記雌具に前記雄具を嵌挿することで、前記第１係止部及び前記第２係止部による係止状態が維持されることを特徴とすることを特徴としている。
この特徴によれば、紐状体の両端部と中途部とは、雄具を挟んでその両側に挿通されて第１の係止部と第２の係止部とにそれぞれ別個に係止されることで、中途部の長手方向への移動が規制されるため、２つのループ部の形状を維持できる。また、紐状体の両端部と中途部とが互いに重ね合わされた状態で係止されることなく、それぞれ別個の対向面と雌具の内面との間に挿通された状態で係止され、かつ、係止された紐状体が略筒状の雌具により覆われて係止状態が維持されるため、紐状体を確実に係止することができる。更に紐状体が係止された雄具を雌具に嵌挿するだけで紐状体の端部と中途部とを簡単に係止できるばかりか、係止状態が容易に解除されることがない。
【０００７】
本発明の請求項２に記載の紐係止具は、請求項１に記載の紐係止具であって、
前記第１の係止部は、前記紐状体の両端部をそれぞれ別個に係止する一対の係止部からなることを特徴としている。
この特徴によれば、両端部同士を重ね合わせた状態で１つの係止部で係止しなくて済むため、両端部を確実に係止できる。
【０００８】
本発明の請求項３に記載の紐係止具は、請求項１または２に記載の紐係止具であって、
前記第１の係止部及び前記第２の係止部は、前記第１の対向面または前記第２の対向面から前記雌具の内面に向けて突設された係止突起であることを特徴としている。
この特徴によれば、係止突起と雌具の内面との間で紐状体の端部や中途部が挟持されるため、より強固に係止できる。
【０００９】
本発明の請求項４に記載の紐係止具は、請求項１ないし３のいずれかに記載の紐係止具であって、
前記雄具及び前記雌具は扁平形状に形成されていることを特徴としている。
この特徴によれば、帯状の紐状体を幅方向に湾曲させることなく、平坦状に維持したまま係止できる。
【発明を実施するための最良の形態】
【００１０】
本発明に係る紐係止具を実施するための最良の形態を実施例に基づいて以下に説明する。
【実施例】
【００１１】
本発明の実施例を図面に基づいて説明すると、先ず図１は、本発明の実施例における紐係止具の全体像を示す斜視図であり、図２（ａ）は、雄具の平面図であり、図２（ｂ）は、雄具の正面図であり、図２（ｃ）は、雄具のＡ−Ａ断面図であり、図３（ａ）は、雌具の平断面図であり、図３（ｂ）は、雌具のＢ−Ｂ断面図であり、図３（ｃ）は、雌具のＣ−Ｃ断面図であり、図４（ａ）は、ストラップを雌具に挿通する状態を示す側断面図であり、図４（ｂ）は、ストラップと雄具で２つのループを形成する状態を示す側断面図であり、図４（ｃ）は、ストラップと雄具を雌具に嵌挿した状態を示す側断面図であり、図５は、ストラップが紐係止具に狭持された状態を示す側断面図であり、図６は、図５における係止突起部とリブ状突起部を示すＤ−Ｄ断面図である。以下、図２（ａ）、図２（ｃ）、図３（ａ）、図３（ｃ）、図４（ａ）、図４（ｂ）、図４（ｃ）の紙面左側を紐係止具の正面側とし、図２（ｂ）、図３（ｂ）、図６の紙面手前側を紐係止具の正面側として説明する。
【００１２】
図１の符号１は、本発明の適用された紐係止具１である。この紐係止具１は帯状であって、端部を有する紐状体としてのストラップ４を挿通して係止することで、ストラップ４によって紐係止具１の前後で２つのループ部１９ａ，１９ｂ（図４（ｃ）参照）を形成している。具体的には、紐係止具１は、着脱可能に設けられ、合成樹脂の材質によって扁平形状に形成された雄具２と雌具３とから構成されている。また、ストラップ４を雄具２に係止した状態で、ストラップ４及び雄具２を雌具３に嵌挿させることで、ストラップ４を挟持できるようになっている。尚、本実施例のストラップ４は布もしくは革等の材質で構成されている。
【００１３】
先ず、雄具２について説明すると、図２（ａ）、図２（ｂ）、図２（ｃ）に示すように、雄具２は略扁平形状に形成されており、その左右幅は、ストラップ４の左右幅とほぼ同じになるように形成されている。この雄具２は、その左右側部に側板５，５が設けられており、両側板５，５間に挟持板部６が一体的に設けられている。更に、挟持板部６の背面方向には、係止板部７が側板５，５間に一体的に設けられている。
【００１４】
側板５，５の先端部は弾性を有しているとともに、後述する雌具３に形成された係止凹部１５，１５に雄具２を係止できるように、係止爪８，８が雄具２の左右外方に向かって突出されている。尚、挟持板部６の前端部の左右側部には切欠１１，１１が形成されており、後述するように、雄具２が雌具３に嵌挿する際に、側板５，５が弾性変形して係止爪８を係止凹部１５に係止し易くしている。
【００１５】
雄具２の外壁面の一部を構成し、後述する雌具３の内壁上面３ａ（内面）と対向する第１の対向面としての板部上面６ａが設けられている。この板部上面６ａには、ストラップ４の端部４ｂを係止する第１の係止部としての係止突起９が配置されている。
【００１６】
雄具２の外壁面の一部を構成し、挟持板部６において板部上面６ａの反対側には、板部下面６ｂが設けられている。この板部下面６ｂは、後述するように、雌具３の内壁下面３ｂ（内面）と対向する第２の対向面となっている。この板部下面６ｂにも、前記板部上面６ａと同様に、ストラップ４の端部４ｂを係止する第２の係止部としての係止突起９が配置されている。
【００１７】
これらの係止突起９は側面視で直角三角形状となるように略円錐形状に形成されている。また、係止突起９は前後一対に複数設けられており、各々の係止突起９が所定距離離間された状態で配置されている。
【００１８】
尚、雄具２が雌具３に嵌挿されて状態において、板部上面６ａに設けられている係止突起９は、雌具３の内壁上面３ａに向けて突設されているとともに、板部下面６ｂに設けられた係止突起９は、雌具３の内壁下面３ｂに向けて突設されている（図５参照）。
【００１９】
具体的には、板部上面６ａに設けられた係止突起９は、雄具２が雌具３に紐係止具１の背面方向から正面方向にかけて嵌挿される方向（以下、嵌挿方向）における正面側と背面側で、ストラップ４の幅方向である左右方向に所定間隔で４本づつ設けられている。
【００２０】
また、挟持板部６において、正面側に設けられた係止突起９は、側面視で略直角三角形状の傾斜面９ａを背面方向に向けて配置されており、背面側に設けられた係止突起９は正面側に設けられた係止突起９と対向して、傾斜面９ａを正面側に向けて配置されている。このようにして正面側に設けられた係止突起９の先端部が正面側に傾いているとともに、背面側に設けられた係止突起９の先端が背面側に傾いている。
【００２１】
係止板部７は側板５，５間の背面側の上方に配置されている（図２（ｃ）参照）。係止板部７の前端縁部には、ストラップ４の端部４ａを係止する第１の係止部としての係止突部７ａが正面方向に向けて突出するように形成されている（図２（ａ）参照）。
【００２２】
係止板部７の係止突部７ａがストラップの端部４ａを係止するとともに、板部上面６ａの係止突起９がストラップの端部４ｂを係止するようになっている。すなわち係止板部７の係止突部７ａと板部上面６ａの係止突起９とで、ストラップの両端部４ａ，４ｂを、それぞれ別個の位置で係止できるようになっている。
【００２３】
また、係止板上面７ｂは雌具３の後述する内壁上面３ａと対向しており、この係止板上面７ｂと雌具３の内壁上面３ａとでストラップ４を挟持するようになっている。すなわち係止板上面７ｂが第１の対向面となっている。
【００２４】
次に、雌具３について説明すると、図３（ａ）及び図３（ｂ）に示すように、雌具３は雄具２を嵌挿できるように、正面開口１２と背面開口１３を備えた扁平な略筒状に形成されている。尚、略筒状をなす雌具３の内空間は前述した雄具２の形状を略同一をなすように形成されている。
【００２５】
雌具３に設けられた内壁上面３ａは、雄具２の板部上面６ａに設けられた係止突起９と対向する対向面となっている。内壁上面３ａには、嵌挿方向（前後方向）に延びる３条のリブ状突起１４が設けられている。また、雌具３に設けられた内壁下面３ｂは、雄具２の板部下面６ｂに設けられた係止突起９と対向する対向面となっている。更に、内壁下面３ｂには、嵌挿方向（前後方向）に延びる３条のリブ状突起１４が設けられている。これら計６条のリブ状突起１４は、雌具３内方側に向けて突設されている。
【００２６】
尚、雌具３の正面開口１２の左右側部は、正面側から雌具３の内部に向って切り欠かれた係止凹部１５，１５が形成されている。この係止凹部１５，１５には、雄具２が雌具３に嵌挿された際に、雄具２の係止爪８，８が係止されるようになっている。
【００２７】
内壁上面３ａ及び内壁下面３ｂに設けられたリブ状突起１４は、正面視で略半円形状となっており（図３（ｂ）参照）、各々のリブ状突起１４が左右方向に所定間隔離間して突設されている。また、各々のリブ状突起１４の内方端面には、側面視で正面側から背面側に向けて上下のリブ状突起１４が離れるように傾斜するテーパー１４ａが形成されている（図３（ｃ））。
【００２８】
また、このリブ状突起１４は、雄具２が雌具３に嵌挿された状態において、挟持板部６に設けられた係止突起９の左右側方に配置されるようになっている。そして、リブ状突起１４がストラップ４を挟持板部６に向けて押圧するように配置されている。尚、このリブ状突起１４は、少なくとも雌具３の内壁上面３ａにおいて１つの係止突起９に対して少なくともその両側方に一対となって配置されていればよい。
【００２９】
また、図３（ａ）に示すように、内壁上面３ａ及び内壁下面３ｂに突設されたリブ状突起１４は、正面開口１２に配置されている先端部において、嵌挿方向（前後方向）に対して直行するように、左右方向に互いに連結されて横リブ１７を形成している。この横リブ１７と同一構成の横リブ１７が、内壁上面３ａに設けられたリブ状突起１４にも形成されている。これら横リブ１７は、雄具２が雌具３に嵌挿された際の隙間を減少させ、かつ雄具２と雌具３間を外面視で目立たないようにする目隠しの役割をなしている。
【００３０】
更に、図３（ｃ）に示すように、雌具３の内壁上面３ａ及び内壁下面３ｂは、その前方部において、内壁面側から雌具３の内方側に向かって傾斜するテーパー面３ｃ，３ｄが形成されている。このテーパー面３ｃ，３ｄは、内壁上面３ａ及び内壁下面３ｂにおいて、左右幅方向に形成されており、雄具２が雌具３に嵌挿される際に、雄具２の嵌挿を所定位置で停止するように規制している。
【００３１】
次に、ストラップ４を雄具２と雌具３によって挟持して環状に形成する方法を説明する。先ず、図４（ａ）に示すように、雄具２の係止突部７ａにストラップ４の一方の端部４ａを上方から係止した後に、雄具２の背面方向で、例えばネームプレート１８等の環状に形成された環状部１８ａにストラップ４を上方側から挿通させる。そして、環状部１８ａに挿通させたストラップ４を正面方向に折曲させ、ストラップ４の端部４ａ，４ｂ以外の部分である中途部４ｃを、板部下面６ｂに設けられた係止突起９に係止させるとともに、ストラップ４の他方の端部４ｂを、雌具３の背面開口１３から正面開口１２を経て雌具３の正面側に挿通させる。
【００３２】
このとき、板部上面６ａに設けられた係止突起９と係止突部７ａとの間で、ストラップ４が係止されることによって、ストラップ４は雄具２の背面方向でネームプレート１８を環状に保持するループ部１９ａを形成する。尚、このループ部１９ａの環の大きさは、板部下面６ｂに設けられた係止突起９に係止させるストラップ４の中途部４ｃの位置を変えることで調整することができる。
【００３３】
次に、図４（ｂ）に示すように、雌具３の正面側まで挿通されたストラップ４を折曲させて、その端部４ｂを再び雌具３の正面開口１２から背面開口１３を経て雌具３の背面側に挿通させる。このとき、ストラップ４は正面開口１２において重なり合っており、上下から横リブ１７によって挟まれている。
【００３４】
また、雌具３の背面側まで挿通されたストラップ４の端部４ｂを、雄具２の板部上面６ａに設けられた係止突起９に係止させることで、ストラップ４の両端部４ａ，４ｂがともに雄具２に係止される。更に、ストラップ４を板部上面６ａに設けられた係止突起９と、板部下面６ｂに設けられた係止突起９とで係止されることによって雌具３の正面方向にループ部１９ｂが形成される。
【００３５】
そして、図４（ｃ）に示すように、雌具３をストラップ４に沿って雄具２に正面側からスライド移動させることによって雄具２が雌具３に嵌挿される。このとき、ストラップ４の両端部４ａ，４ｂは、雌具３の内壁上面３ａと雄具２の板部上面６ａ及び係止板上面７ｂとの間に挿設されるとともに、ストラップ４の中途部４ｃは、雌具３の内壁下面３ｂと雄具２の板部下面６ｂとの間に挿設される。
【００３６】
このように、雄具２が雌具３に嵌挿されることにより、ストラップ４にどの方向から力が加わったとしても、係止されたストラップ４が略筒状の雌具３により覆われているので、雌具３内で板部上面６ａの係止突起９及び係止突部７ａと、板部下面６ｂの係止突起９とによる係止状態が確実に維持される。
【００３７】
また、雄具２は雌具３内に嵌挿されると、雌具３の内壁上面３ａ及び内壁下面３ｂに設けられたテーパー面３ｃ，３ｄに当接して嵌挿方向に移動しなくなる。更に、雄具２の側板５，５に形成された係止爪８，８（図２参照）が、雌具３の左右に形成された係止凹部１５，１５に係止され、雄具２が雌具３に脱出不能に係合される。
【００３８】
図５に示すように、雄具２の係止突起９に係止されたストラップ４は、雄具２が雌具３に嵌挿されるに伴い、リブ状突起１４に形成されたテーパー１４ａ（図３（ｃ）参照）によりリブ状突起１４から内方側に押圧される。この押圧により、雄具２が雌具３に嵌挿された状態において、ストラップ４は、挟持板部６の係止突起９に深く係止される。更に、ストラップ４は、板部上面６ａの係止突起９と内壁上面３ａのリブ状突起１４間と、板部下面６ｂの係止突起９と内壁下面３ｂのリブ状突起１４間に挟持される。
【００３９】
図６に示すように、ストラップ４は上下のリブ状突起１４に押圧されることにより、係止突起９との間でうねるように蛇行する正面視で略波形状に配置される。このようにすることで、ストラップ４は、係止突起９とリブ状突起１４とに当接する表面積を多くすることができる。
【００４０】
これらの当接によって、ストラップ４には、板部上面６ａに設けられた係止突起９間、板部下面６ｂに設けられた係止突起９間、内壁上面３ａに設けられたリブ状突起１４間、内壁下面３ｂに設けられたリブ状突起１４間で強い摩擦力を発生させることができる。この摩擦力が働くことによってストラップ４の係止状態を強固に維持することができる。
【００４１】
このように、ストラップ４の両端部４ａ，４ｂと中途部とは、雄具２を挟んでその両側に挿通されて板部上面６ａに設けられた係止突起９及び係止突部７ｂと板部下面６ｂに設けられた係止突起９とにそれぞれ別個に係止されることで、中途部の長手方向への移動が規制されるため、２つのループ部１９ａ，１９ｂの形状を維持できる。また、ストラップ４の両端部４ａ，４ｂと中途部とが互いに重ね合わされた状態で係止されることなく、それぞれ別個の対向面である板部上面６ａ、係止板上面７ｂ及び板部下面６ｂと雌具３の内壁上面３ａ及び内壁下面３ｂとの間に挿通された状態で係止され、かつ、係止されたストラップ４が略筒状の雌具３により覆われて係止状態が維持されるため、ストラップ４を確実に係止することができる。更にストラップ４が係止された雄具２を雌具３に嵌挿するだけでストラップ４の端部４ａ，４ｂと中途部とを簡単に係止できるばかりか、係止状態が容易に解除されることがない。
【００４２】
また、係止突部７ａと板部上面６ａに設けられた係止突起９は、ストラップ４の両端部４ａ，４ｂをそれぞれ個別に係止する一対の係止部からなっているので、両端部４ａ，４ｂ同士を重ね合わせた状態で板部上面６ａに設けられた係止突起９及び係止突部７ａ、または板部下面６ｂに設けられた係止突起９で係止しなくて済むため、両端部４ａ，４ｂを確実に係止できる。
【００４３】
また、係止突部７ａと板部上面６ａに設けられた係止突起９及び板部下面６ｂに設けられた係止突起９は、板部上面６ａと係止板上面７ｂまたは板部下面６ｂから雌具３の内壁上面３ａ、内壁下面３ｂに向けて突設されているので、板部上面６ａに設けられた係止突起９及び板部下面６ｂに設けられた係止突起９と雌具３の内壁上面３ａ及び内壁下面３ｂとの間でストラップ４の端部４ａ，４ｂや中途部が挟持されるため、より強固に係止できる。
【００４４】
また、雄具２及び雌具３は扁平形状に形成されているので、帯状のストラップ４を幅方向に湾曲させることなく、平坦状に維持したまま係止できる。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
例えば、前記実施例では、板部上面６ａ及び板部下面６ｂで係止突起９を前後に４本ずつ、内壁上面３ａ及び内壁下面３ｂにリブ状突起１４を３条ずつ設けたが、ストラップ４を板部上面６ａ及び係止板上面７ｂと内壁上面２ａ間、板部下面６ｂと内壁下面２ｂ間で
挟持することができれば、係止突起９やリブ状突起１４は設けなくてもよい。
【００４７】
また、前記実施例では、板部上面６ａに設けられた係止突起９と係止突部７ａによりストラップ４の両端部４ａ，４ｂを係止したが、係止突起９を係止板部７に形成して、ストラップ４の両端部４ａ，４ｂを係止突起９によって係止するようにしてもよく、また、係止突部７ａを挟持板部６に形成してストラップ４の両端部４ａ，４ｂを係止突部７ａによって係止してもよい。
【００４８】
また、前記実施例では、ストラップ４の両端部４ａ，４ｂを係止突起９と係止突部７ａとの２箇所で、各々別個に係止しているが、ストラップ４の両端部４ａ，４ｂと中途部４ｃとが各々別個に係止されるならば、ストラップ４の両端部４ａ，４ｂが１箇所の係止箇所にて係止されるようにしてもよい。
【００４９】
また、前記実施例では、リブ状突起１４を正断面視で略半円形状としたが、リブ状突起１４と係止突起９とでストラップ４を挟持できれるのであれば、リブ状突起１４の形状は、正断面視で矩形状や三角形状であってもよい。
【００５０】
また、前記実施例では、内壁上面３ａに設けられたリブ状突起１４と内壁下面３ｂに設けられたリブ状突起１４とは、正面開口１２に配置されている先端部において、嵌挿方向（前後方向）に対して直行する左右方向に互いに連結されて横リブ１７を形成したが、挟持されるストラップ４の厚さが薄ければ、幅方向のうねりはストラップ４の見栄えに与える影響が少ないので、必ずしも横リブ１７を形成しなくともよい。
【図面の簡単な説明】
【００５１】
【図１】本発明の実施例における紐係止具の全体像を示す斜視図である。
【図２】（ａ）は、雄具の平面図であり、（ｂ）は、雄具の正面図であり、（ｃ）は、雄具のＡ−Ａ断面図である。
【図３】（ａ）は、雌具の平断面図であり、（ｂ）は、雌具のＢ−Ｂ断面図であり、（ｃ）は、雌具のＣ−Ｃ断面図である。
【図４】（ａ）は、ストラップを雌具に挿通する状態を示す側断面図であり、（ｂ）は、ストラップと雄具で２つのループを形成する状態を示す側断面図であり、（ｃ）は、ストラップと雄具を雌具に嵌挿した状態を示す側断面図である。
【図５】ストラップが紐係止具に狭持された状態を示す側断面図である。
【図６】図５における係止突起部とリブ状突起部を示すＤ−Ｄ断面図である。
【符号の説明】
【００５２】
１                紐係止具
２                雄具
３                雌具
３ａ              内壁上面（内面）
３ｂ              内壁下面（内面）
４                ストラップ（紐状体）
４ａ，４ｂ        端部
４ｃ              中途部
６                挟持板部
６ａ              板部上面（第１の対向面）
６ｂ              板部下面（第２の対向面）
７                係止板部
７ａ              係止突部（第１の係止部）
７ｂ              係止板上面（第１の対向面）
９                係止突起（第１の係止部，第２の係止部）
９ａ              傾斜面
１７              横リブ
１９ａ，１９ｂ    ループ部
【図１】
2009018004.tif 000003
【図２】
2009018004.tif 000004
【図３】
2009018004.tif 000005
【図４】
2009018004.tif 000006
【図５】
2009018004.tif 000007
【図６】
2009018004.tif 000008